(57)【要約】【課題】プロテインスキマー内の海水または淡水中から分離されて出る汚染を含んだ泡沫を十分に収集して排出することができ、泡沫排出レベル自動昇降制御装置の提供。【解決手段】本体を含み、前記本体上に泡沫収集口、泡沫排出口、泡沫ガイド通路が設けられ、そのうち、前記本体に水または泡沫の浮力に基づき上下に浮動するフロートが設置されることを特徴とする。【選択図】図３
2007319852.tif 000002
【特許請求の範囲】
【請求項１】
本体を含み、前記本体上に泡沫収集口、泡沫排出口、泡沫ガイド通路が設けられ、そのうち、前記本体に水または泡沫の浮力に基づき上下に浮動するフロートが設置されることを特徴とする、泡沫排出レベル自動昇降制御装置。      
【請求項２】
前記フロートが水に浮くことができる材料または空気を保存する密閉空間の構造から構成されることを特徴とする、請求項１に記載の泡沫排出レベル自動昇降制御装置。
【請求項３】
前記フロートに少なくとも１つの開閉口が設けられ、前記開閉口に浮力調節スイッチが設置され、一部の空気を排出してフロートの浮力を調節できることを特徴とする、請求項１に記載の泡沫排出レベル自動昇降制御装置。   
【請求項４】
前記泡沫排出口箇所に泡沫排出量を調節する泡沫排出制御バルブが設置されることを特徴とする、請求項１に記載の泡沫排出レベル自動昇降制御装置。
【請求項５】
前記泡沫排出制御バルブが泡沫排出口箇所に設置される接続体と制御体を含み、前記接続体上に前記泡沫排出口に貫通した導槽が設けられ、前記制御体が回動可能に前記接続体上に設置され、且つ、前記導槽に対応する通路と封閉面が設けられ、そのうち、前記制御体に前記通路に貫通する排出通路構造が設けられることを特徴とする、請求項４に記載の泡沫排出レベル自動昇降制御装置。     
【請求項６】
前記排出通路構造が前記通路と前記制御体外部に通じる排出口であることを特徴とする、請求項５に記載の泡沫排出レベル自動昇降制御装置。
【請求項７】
前記排出通路構造が前記通路に通じる内部通路及び接続前記内部通路を前記制御体外部に接続する排出口を含むことを特徴とする、請求項５に記載の泡沫排出レベル自動昇降制御装置。     
【請求項８】
前記本体が筒状の排出部を含み、その内側壁面に前記泡沫収集口が形成され、前記泡沫収集口が下方向に延伸され徐々に大きくなることを特徴とする、請求項１に記載の泡沫排出レベル自動昇降制御装置。
【請求項９】
前記排出部内に接続座部が設けられ、前記接続座部と前記排出部の内壁の間に仕切り板が設置され、前記仕切り板、前記接続座部及び前記排出部の内壁の間に前記泡沫排出口が形成されることを特徴とする、請求項８に記載の泡沫排出レベル自動昇降制御装置。    
【請求項１０】
前記排出部と泡沫収集口の間に導流棒が設けられ、前記導流棒が水に浮くことができる材料または保存空気を備えた密閉空間の構造から構成されることを特徴とする、請求項９に記載の泡沫排出レベル自動昇降制御装置。
【請求項１１】
前記導流棒と泡沫ガイド通路の間の通路が上に向かって徐々に狭くなることを特徴とする、請求項１０に記載の泡沫排出レベル自動昇降制御装置。     
【請求項１２】
前記接続体が前記排出部上端部に設置されたベース体を含み、前記ベース体の片側に接続部が設置され、他方の側に嵌入部が設けられ、前記接続部が前記排出部の接続座部上に固定されると共に、前記制御体上に前記嵌入部と嵌合される嵌合孔が貫通されて設けられることを特徴とする、請求項５に記載の泡沫排出レベル自動昇降制御装置。
【請求項１３】
前記接続座部上に接続ネジ孔が設けられ、前記接続部上に前記接続ネジ孔に対応する接続ボルトが設けられることを特徴とする、請求項１２に記載の泡沫排出レベル自動昇降制御装置。     
【発明の詳細な説明】
【技術分野】
【０００１】
本発明は泡沫排出レベル制御装置に関し、詳細には、泡沫排出レベル自動昇降制御装置に関する。    
【背景技術】
【０００２】
現有の水槽や養殖槽、養殖池及び汚水処理器等は清浄効果を得るため、一般的にオイルスキマーや水槽内のプロテインスキマー等、水を淨化するための分離器が設置される。
【０００３】
プロテインスキマーを例に取ると、現在市場における現有のプロテインスキマーは一般にすべて由ウッドストーンまたは水ポンプ等で気泡を発生し、この気泡を利用し上昇させる方式で水中のたんぱく質または油脂を取り出し、泡沫収集装置内に導入するものである。しかしながら、泡沫の上昇の流れが水中汚染物の含有量、水比重、空気注入量等の要素の影響を受けるために泡沫の量にばらつきが出、さらに分離されて出る泡沫の排出水平レベルの高低にもばらつきが出てしまう。また、現有のプロテインスキマー内の泡沫収集装置は一般に装置内の特定の水平位置に固定されており、排出する泡沫水平レベルの高低に合わせて自動的に水平位置を変換することはできず、位置の調節は手動で水平位置を調節するしかなく、これでは分離されて出る汚染泡沫を適時に排出することができず、水中の有機物が蓄積して水質が悪くなったり、或いは排出過量で泡沫収集装置を頻繁に手入れしなければならなくなり、プロテインスキマーの機能及び実用性において不利となっている。
【０００４】
このため、以上の欠点を克服し、自動的に泡沫排出レベルの昇降を制御する装置の提供が現在解決の待たれる技術的課題となっている。
【発明の開示】
【発明が解決しようとする課題】
【０００５】
本発明の主な目的は、プロテインスキマー内の海水または淡水中から分離されて出る汚染を含んだ泡沫を十分に収集して排出することができ、泡沫排出レベル自動昇降制御装置を提供することにある。    
【課題を解決するための手段】
【０００６】
上述の目的を達するため、本発明の泡沫排出レベル自動昇降制御装置は、主に本体を備え、前記本体上に泡沫収集口、泡沫排出口、泡沫ガイド通路が設けられ、そのうち、前記本体にはさらに水または泡沫の浮力に伴い上下に浮動するフロートが設置される。
【０００７】
前記フロートは水に浮くことができる材料または空気を保存する密閉空間の構造から構成される。
【０００８】
前記フロートは少なくとも１つの開閉口が設けられ、この開閉口に浮力調節スイッチが設置され、一部の空気を排出しフロートの浮力を調節することができる。
【０００９】
前記泡沫排出口箇所には泡沫排出量を調節する泡沫排出制御バルブが設置される。
【００１０】
前記泡沫排出制御バルブは泡沫排出口箇所に設置された接続体と制御体を含み、前記接続体上に前記泡沫排出口に貫通した導槽が設けられ、前記制御体は回動可能に前記接続体上に設置され、且つ、前記導槽に対応して通路と封閉面が設けられる。さらに、前記制御体には前記通路に貫通した排出通路構造が形成される。
【００１１】
前記排出通路構造は、前記通路と前記制御体外側に通じた排出口である。
【００１２】
前記排出通路構造は、前記通路に通じる内部通路と前記内部通路を前記制御体外部に接続する排出口を含む。
【００１３】
前記本体は筒状の排出部を含み、前記フロートは前記排出部の下端に設置され、その内側壁面に前記泡沫収集口が形成され、前記泡沫収集口は下に向かって延伸され、且つ徐々に広がる。
【００１４】
前記排出部内に接続座部が設けられ、前記接続座部と前記排出部の内壁の間に仕切り板が設置され、前記仕切り板、前記接続座部及び前記排出部の内壁の間に前記泡沫排出口が形成される。
【００１５】
前記排出部と泡沫収集口の間に導流棒が設けられ、この導流棒は水に浮くことができる材料または空気を保存する密閉空間の構造から構成される。
【００１６】
前記導流棒と泡沫ガイド通路間の通路は上に向かって徐々に狭くなる。
【００１７】
前記接続体は前記排出部上端に設置されるベース体を含み、前記ベース体は片側に接続部が設けられ、他方の側に嵌入部が設置され、前記接続部は前記排出部の接続座部上に固定されると共に、前記制御体上に嵌合孔が設けられて前記嵌入部が挿入される。
【００１８】
前記接続座部上に接続ネジ孔が設けられ、前記接続部上に前記接続ネジ孔に対応し接続ボルトが設置される。
【発明の効果】
【００１９】
現有技術と比較すると、本発明の水生物装飾品向け水浄化用泡沫排出レベル自動昇降制御装置は本体を含み、前記本体上に泡沫収集口、泡沫排出口、泡沫ガイド通路が設けられ、そのうち、前記本体は水または泡沫の浮力に基づき上下に浮動するフロートが設置されている。これにより、本発明の水生物装飾品向け水浄化用泡沫排出レベル自動昇降制御装置は、プロテインスキマー内の海水または淡水から出る泡沫を充分に吸収し排出することができる。        
【発明を実施するための最良の形態】
【００２０】
本発明の構造、装置及びその特徴についてより認識と理解を促すため、以下、実施例と図面に基づき詳細に説明する。
【実施例１】
【００２１】
図１から図３に本発明の実施例１を示す。本発明の泡沫排出レベル自動昇降制御装置１４は主にプロテインスキマー、オイルスキマーまたはその他汚物分離器等の水面或いは水中の汚物を清浄する装置に用いられる。以下、プロテインスキマー１０を例として本発明について説明するが、本発明はこれに制限されない。
【００２２】
本実施例において、前記プロテインスキマー１０は殼体１１、前記殼体１１内に設けられ、且つ底部に位置する気泡隔離室１２、前記気泡隔離室１２底部に設置された気泡発生器１３、前記殼体１１上に伸入された泡沫排出レベル自動昇降制御装置１４、前記泡沫排出レベル自動昇降制御装置１４上に設置された泡沫排出量を調節する泡沫排出制御バルブ１５及び泡沫収集装置１６を含む。殼体１１はあらゆる立体形状とすることができるが、ここでは円筒状を例とする。
【００２３】
図１と図３に示すように、前記殼体１１は筒状を呈するチャンバ１１１及び前記チャンバ上下端に設置された上蓋１１２と下蓋１１３を含む。そのうち、前記下蓋１１３は中央に通気口が設けられ、導管１１４で前記気泡発生器１３が外部の気体源が提供する気体に接続される。前記通気口を囲み前記下蓋１１３底部に前記気泡隔離室１２に通じる入水口１１５が設けられ、前記入水口１１５を囲み前記下蓋１１３底部に前記殼体１１内部空間に貫通した出水口１１６が設けられる。前記上蓋１１２の片側に水平状態から下に向かって湾曲した湾曲アーム１１９が設けられ、相対する他方の側に外側に向かって延伸された第一位置決め突起１１７が設置され、前記第一位置決め突起１１７に対応して前記下蓋１１３に第二位置決め突起１１８が設けられる。前記下蓋１１３底部に設けられた隔離室１２は円筒状を呈する。
【００２４】
図２及び図３に示すように、前記気泡発生器１３は内部空間１３１を備え、前記内部空間１３１下端に接続部材１３２が設置され、前記接続部材１３２に導管１１４が接続されて外部の気体源が前記内部空間１３１内へと伝送されると共に、前記気泡発生器１３の外側表面周囲に気泡が発生する。前記気泡発生器１３が発生する気泡は前記入水口１１５内に流入する浄化を待つ水と充分に混合され、気泡の表面張力作用により、前記気泡がたんぱく質等の水中の有機物質と雑物を吸着し、前記気泡が前記有機物質及び雑物を水面へと取り出し、且つ、浄化後の水が気泡隔離室１２と前記殼体１１の間の出水口１１６から流出され、浄化効果が達成される。また、本発明は入水口１１５の壁面に強化・加速構造１２０を設け、分離効果と速度を強化することができる。
【００２５】
図３、図４、図５に示すように、本実施例においては、前記泡沫排出レベル自動昇降制御装置１４は本体１４１を含み、前記分離器１０の殼体１１内に設置され、かつ前記殼体１１内の水面上を浮いた状態で覆い、さらに泡沫収集口１４２及び前記泡沫収集口１４２に通じる泡沫排出口１４３が設けられ、本体１４１は前記泡沫収集口と前記泡沫排出口の間に泡沫ガイド通路が設置され、且つ、前記泡沫排出レベル自動昇降制御装置１４は水または泡沫の浮力に基づき高低位置を自動調節するフロート１４５を備え、前記フロート１４５は殼体１１内の水と接触する位置に設けることができる。これについては以下で詳細に説明する。
【００２６】
前記本体１４１は真っ直ぐの円筒状を呈する排出部１４４を含み、前記排出部１４４は前記上蓋１１２の貫通孔に穿通され、泡沫収集装置１６内に伸入される。前記排出部１４４の下端は下方向に延伸され、直径が徐々に広がるフロート１４５を有し、前記泡沫収集口１４２は前記フロート１４５の内壁１５０に囲まれて成る。
【００２７】
図３に示すように、前記泡沫収集口１４２は上から下へ徐々に広がる形状を呈し、錐形を最良の選択とする。このほか、前記排出部１４４内に接続座部１４６が設けられ、前記接続座部１４６と前記排出部１４４の内壁の間に仕切り板１４７が設置され、前記接続座部１４６は前記仕切り板１４７により排出部１４４の内壁との間が接続され、２つに隔てられた泡沫排出口１４３が形成される。
【００２８】
前記フロート１４５はラッパ状を呈し下方向に延伸された内壁１５０、前記内壁１５０の下端辺縁部を上方向に垂直に延伸した延伸部１４８、及び前記延伸部１４８の上端部を水平方向に内側へ延伸し、内壁１５０と一体に接続されたショルダー部１４９を含む。
【００２９】
前記接続座部１４６下方の排出部１４４と泡沫収集口１４２のガイド通路間に導流棒１８０（錐形を最良の選択とする）が設置され、前記導流棒１８０と泡沫ガイド通路内壁の間の通路は下から上に徐々に狭くなり、前記導流棒１８０は水の異なる比重に基づき異なる大きさ及び長さに設けられる。
【００３０】
前記延伸部１４８は前記殼体１１チャンバの内壁と平行に設置され、前記ショルダー部１４９と前記上蓋１１２の組み合わせにより、前記泡沫排出レベル自動昇降制御装置１４を前記殼体１１上端に規制し、且つ、前記ショルダー部１４９、延伸部１４８と内壁１５０の間に密閉空間が形成され、前記フロート１４５に一定の浮力を提供する。
【００３１】
前記フロート１４５は水または泡沫等処理する気泡より密度が低い材料または空気を保存する密閉空間を用いて構成することができ、後者は図３に示すように、前記殼体１１内の水面上に浮いてこれを覆うことができ、且つ、前記殼体１１に相対して前記殼体１１内の水面の高低変化に基づき自動的に昇降する。このため、分離された泡沫の量、水平レベルの高低に伴い、前記泡沫排出レベル自動昇降制御装置１４が自動的に位置を調整し、これにより分離された泡沫が迅速に排出され、泡沫の水平レベル位置の制限を受けず、且つ、手動で水平位置を調節する必要もなく、便利に使用することができる。
【００３２】
上述のように、前記フロート１４５は、水または泡沫等処理する気泡より密度が低い材料を使用する場合は、密閉空間を設けなくてもよい。前記フロート１４５は１つ以上の開閉口１４５１を設けることができ、図１５に示すように、開閉口１４５１は浮力調節スイッチ１６０を備え、一部の空気を排出しフロート１４５の浮力の大きさを調節することができる。これについては以下で詳細に説明する。
【００３３】
前記泡沫収集口１４２は前記殼体１１内の水面上に絶え間なく発生する泡沫を吸入し、泡沫排出口１４３へと送る。こうして前記泡沫排出レベル自動昇降制御装置１４の導流機能が完成され、且つ、錐形の導流棒１８０と泡沫ガイド通路内壁の間の通路が上方向に向かって徐々に狭くなり、泡沫の上昇能力が向上されるため、気泡を吸入かつ導く効果がよりよくなる。
【００３４】
図２及び図６から図９に示すように、前記泡沫排出口１４３内から排出される泡沫流量を制御するため、前記泡沫排出レベル自動昇降制御装置１４の泡沫排出口１４３箇所には泡沫排出量を調節するための泡沫排出制御バルブ１５が設けられる。本実施例において、前記泡沫排出量を調節する泡沫排出制御バルブ１５は、本体１４１上端の泡沫排出口１４３箇所に設置される接続体１５１と制御体１５２を含み、前記接続体１５１上に前記泡沫排出口１４３に貫通した導槽１５１１が設けられ、前記制御体１５２は前記接続体１５１上に回動可能に設置され、且つ、前記導槽１５１１に対応し、さらに前記制御体１５２は通路１５２１と封閉面１５２２が設けられる。また前記制御体１５２には前記通路１５２１に貫通した排出通路構造が設けられる。これについては以下で具体的に説明する。
【００３５】
前記接続体１５１は、前記排出部１４４上端に設置される円盤状を呈するベース体１５１２を含み、前記ベース体１５１２の片側中央部に接続部１５１３が設けられ、他方の側中央部に円柱形の嵌入部１５１４が設けられる。前記接続部１５１３は前記排出部１４４の接続座部１４６上に固定される。具体的には、前記接続座部１４６上に接続ネジ孔１４６１（図４参照）が設けられ、前記接続部１５１３は前記接続ネジ孔１４６１に対応する接続ボルトであり、前記ボルトと前記ネジ孔１４６１間の組み合わせにより、接続体１５１を前記泡沫排出レベル自動昇降制御装置１４上に固定する。前記嵌入部１５１４は切れ込みで分割されて２つの弾性アーム１５１５が設けられ、前記制御体１５２上には嵌合孔１５２３が設けられ、前記弾性アーム１５１５を前記嵌合孔１５２３に嵌入し、前記制御体１５２を回動可能に前記接続体１５１上に設置することができる。
【００３６】
そのうち、前記ベース体１５１２を貫通し、前記２つの泡沫排出口１４３に通じる等角度間隔に設置された４つの導槽１５１１が設けられ、前記制御体１５２の下表面は前記導槽１５１１に対応する間隔で交互に通路１５２１と封閉面１５２２が設けられる。そのうち、前記制御体１５２が回動するときいくつかの位置で前記導槽１５１１と前記通路１５２１が貫通され、泡沫を通過させることができる。また、制御体１５２が回動するときいくつかの位置で前記封閉面１５２２が前記導槽１５１１を覆い、前記導槽１５１１を小さくするか閉じてしまうことができ、これにより前記泡沫の流量を制御する効果が得られる。前記制御体１５２から泡沫を流出させるため、前記制御体１５２には前記通路１５２１に通じる排出通路構造が設けられる。本実施例において、前記排出通路構造は、通路１５２１に対応し前記制御体外部に通じる排出口１５２４であり、前記排出口１５２４を介して通路１５２１内に流れてくる泡沫を導き出し、前記泡沫収集装置１６内に流入させる。
【００３７】
図１と図３に示すように、前記泡沫収集装置１６は箱体１６１と、前記箱体１６１上に被せられる箱蓋１６２を含む。前記排出部１４４が前記箱体１６１内に伸入されるため、前記泡沫排出量を調節する泡沫排出制御バルブ１５も前記箱体１６１内に位置し、排出口１５２４の泡沫を収集することができる。
【実施例２】
【００３８】
さらに図１０及び図１１に本発明の実施例２のプロテインスキマー１０’用泡沫排出レベル自動昇降制御装置１４Aを示すが、そのうち実施例１の泡沫排出レベル自動昇降制御装置１４と同じ部材は同じ符号を用い、ここでは説明を省略する。そのうち、実施例１の泡沫排出レベル自動昇降制御装置１４の制御体１５２と実施例２の泡沫排出レベル自動昇降制御装置１４Aの制御体１５２’の構造が異なる。具体的には、図１２及び図１３に示すように、制御体１５２’の排出通路構造は通路１５２１に通じる内部通路及び前記内部通路１５２５を前記制御体１５２’外部に通じさせる排出口１５２４’を含み、前記排出口１５２４’は接続管１７を介して泡沫収集装置１６’に接続され、泡沫が収集される。この実施例において、前記泡沫収集装置１６’は収集ボトルとする。
【００３９】
図１４及び図１５に別の２つのプロテインスキマー１０”を示す。そのうち、気体と濾過を待つ水がプロテインスキマーに設けられた進水管１８を通過して直接気泡隔離室１２内に送られ、これにより気泡発生器１３の使用を回避することができる。図１４に示すプロテインスキマー１０”の出水口１１６は実施例１と同じである。図１５に示すプロテインスキマー１０”の進水管１８は管状を呈し、進水管１９０と接続されて気体と濾過を待つ水を輸送し、浄化後の水は気泡隔離室１２を通り、出水口１１６’から排出される。このほか、図１５に示すプロテインスキマー１０”のフロート１４５のショルダー部１４９上には開閉口１４５１が開設され、浮力調節スイッチ１６０と組み合わせることで、一部の空気を排出してフロート１４５の浮力を調節することができる。当然、必要に応じ複数の開閉口１４５１を設け、相応する浮力調節スイッチ１６０を組み合わせてフロート１４５の浮力を調節することもできる。
【００４０】
図１６にさらに別のプロテインスキマー１０’’’を示す。これはほとんど図１４に示されるプロテインスキマー１０”と同じであるが、上蓋１１２’上に湾曲アーム１１９と第一位置決め突起１１７が設けられていない点が異なる。
【実施例３】
【００４１】
図１７、図１８、図１９に本発明の実施例３の泡沫排出レベル自動昇降制御装置１４Bを示す。実施例１の泡沫排出レベル自動昇降制御装置１４と同じ部材には同じ符号が用いられており、ここでは説明を省略する。異なる点は、前記泡沫排出レベル自動昇降制御装置１４Bの接続座部１４６’、仕切り板１４７’及び泡沫排出レベル自動昇降制御装置１４Bの排出部１４４’の内壁の間に４つの泡沫排出口１４３’が形成される（図１９参照）点であり、前記泡沫排出口１４３’の設置は実施例１の導槽１５１１と同じであるこのほか、前記接続座部１４６’上に直接実施例１の嵌入部１５１４と構造が同じである嵌入部１５１４’を一体として設け、直接前記制御体１５２と嵌合される。前記泡沫排出口１４３’と前記制御体１５２の通路１５２１と封閉面１５２２間の組み合わせは実施例１の導槽１５１１と通路１５２１と封閉面１５２２間の組み合わせと同じであるため、ここでは説明を省略する。前記通路１５２１から出て来る気泡は前記泡沫収集装置１６に直接進入する。上述から分かるように、実施例３の泡沫排出レベル自動昇降制御装置１４Bは前記接続体１５１を省略することができるが、同様に実施例１で述べた機能を得ることができる。
【実施例４】
【００４２】
図２０から図２４に示す実施例４の泡沫排出レベル自動昇降制御装置１４Cは、実施例３の泡沫排出レベル自動昇降制御装置１４Bと構造が同じであり、同じ部材には同じ符号を用いている。異なる点は、実施例４の泡沫排出レベル自動昇降制御装置１４Cの制御体１５２”底面辺縁部を下方向へ突出させて側壁部１５２６が設けられる点であり、前記制御体１５２”の底面は同様に前記側壁部１５２６を貫通し前記制御体１５２”外へ延伸される通路１５２１’及び前記側壁部１５２６内に設けられた封閉面１５２２’を備え、前記通路１５２１’と封閉面１５２２’は実施例１の通路１５２１と封閉面１５２２の機能と同じであるため、ここでは説明を省略する。また異なる点は、制御体１５２”の底面が前記泡沫排出口１４３’上に被せられ、且つ、前記排出部１４４’の上端部が側壁部１５２６と前記制御体１５２”の底面が形成する空間内に収容される点である。即ち、前記制御体１５２”の底面積は泡沫排出口１４３’の面積より大きく、制御体１５２”が泡沫排出口１４３’上を覆い隠すことができる。且つ、嵌入部１５１４”は一体成型から成り、切れ込みはなく、直接前記制御体１５２”に嵌合することができる。錐形の導流棒１８０”と接続座部１４６”は２つの部材に分離され、通過設於接続座部１４６”底面上に設置された外側に鉤部を有する掛止部１５１６と前記錐形の導流棒１８０”の内部通路の内側表面が噛み合わされ、これにより錐形の導流棒１８０”と接続座部１４６”を接続することができる。前述のように、前記封閉面１５２２’、通路１５２１’と泡沫排出口１４３’間の組み合わせにより、泡沫排出口１４３’の泡沫排出量を移動調整することができ、前記通路１５２１’から出てくる気泡を直接前記泡沫収集装置１６に進入させ、同様に実施例１で述べた機能を得ることができる。
【実施例５】
【００４３】
図２５に示す実施例５の泡沫排出レベル自動昇降制御装置１４Dは、図１及び図５と同じ部材には同じ符号を使用しており、異なる点は、泡沫排出レベル自動昇降制御装置１４Dには泡沫排出量を調節する泡沫排出制御バルブ１５が設けられていない点であり、気泡は直接泡沫排出口１４３”から排出され、前記泡沫収集装置１６に集められる。このほか、本実施例においては、前記錐形の導流棒１８０Aは導流機能を備えているだけでなく、フロート１４５と同じ機能も有し、実施例１における錐形の導流棒１８０より大きく、殼体１１内の水中に浮くことができ、これにより、フロート１４５と同じ機能が得られる。且つ、前記フロート１４５には開閉口１４５１を設けない。
【実施例６】
【００４４】
図２６に示す実施例６の泡沫排出レベル自動昇降制御装置１４Eは、図２と図５の泡沫排出レベル自動昇降制御装置１４Dと同じ部材には同じ符号を使用しており、泡沫排出レベル自動昇降制御装置１４Eに泡沫排出量を調節する泡沫排出制御バルブ１５が設けられ、これは実施例１の動作原理と同じであり、ここでは説明を省略する。前記フロート１４５上には開閉口１４５１が設けられ、浮力調節スイッチ１６０と組み合わせて一部の水１４５３を進入させフロート１４５の浮力を調節する。且つ、本実施例において錐形の導流棒１８０Aとフロート１４５は一体成型とする。
【００４５】
図２５と図２６において、前記錐形の導流棒１８０Aは本体１４１の中心に位置し、フロート１４５は前記中心の周りに設置される。
【実施例７】
【００４６】
図２７に示す実施例７の泡沫排出レベル自動昇降制御装置１４Fは、図１及び図５と同じ部材には同じ符号を使用しているが、フロート１４５Aの形状構造が図１及び図５におけるフロート１４５とは異なる。具体的には、前記フロート１４５Aが下方向に垂直に延伸された内壁１５０’、前記内壁１５０’の下端部から外側に水平に延伸された底部１７０及び排出部１４４から下方向に湾曲されて延伸された外壁１０１より密封して形成される。且つ、前記底部１７０上にも開閉口１４５１が設置され、浮力調節スイッチ１６０と組み合わせられるが、図２６と同じであるためここでは説明を省略する。
【実施例８】
【００４７】
図２８に示す実施例８の泡沫排出レベル自動昇降制御装置１４Gは、図２７と同じ部材には同じ符号を使用しているが、フロート１４５Aが設けられておらず、外壁１０１のみが設けられ、殼体１１内壁と組み合わされて泡沫排出レベル自動昇降制御装置１４Gの傾斜を防ぐが、設置如第図２、図５、図６のように錐形の導流棒１８０Aを設置し、フロート１４５の機能を完成し、前記錐形の導流棒１８０Aの密封上端部にさらに開閉口１４５１を設置し、浮力調節スイッチ１６０と組み合わせるが、これは図２、図６と同じであるため、ここでは説明を省略する。
【００４８】
以上の各実施例に基づき本発明の開示を行なってきたが、本発明の範囲はこれらに制限されず、本発明の要旨を逸脱しない条件下で、以上の各部材または構造は関連技術領域の人物が知る類似または同等部材または構造で代替することができる。
【００４９】
上述のように、本発明の泡沫排出レベル自動昇降制御装置は確実にプロテインスキマー内の海水または淡水中に分離されて出た汚染を含む泡沫を収集して排出することができ、実用性と進歩性を備えており、また本発明の構造はその特許出願以前にいかなる刊行物の掲載または公開使用されたことがなく、本発明の構造は特許出願の要件を満たしているため、法に基づきここに特許を出願するものである。
【図面の簡単な説明】
【００５０】
【図１】本発明の実施例１の泡沫排出レベル自動昇降制御装置を設置したプロテインスキマーの立体分解図である。
【図２】図１の気泡発生器の立体図である。
【図３】図１のプロテインスキマーの断面図である。
【図４】泡沫排出レベル自動昇降制御装置の立体斜視図である。
【図５】泡沫排出レベル自動昇降制御装置の立体斜視図である。
【図６】接続体の立体斜視図である。
【図７】接続体の立体斜視図である。
【図８】制御体の立体斜視図である。
【図９】制御体の立体斜視図である。
【図１０】本発明の実施例２の泡沫排出レベル自動昇降制御装置を設置したプロテインスキマーの立体分解図である。
【図１１】図１０のプロテインスキマーの断面図である。
【図１２】別の制御体の立体斜視図である。
【図１３】別の制御体の立体斜視図である。
【図１４】別のプロテインスキマーの断面図である。
【図１５】さらに別のプロテインスキマーの断面図である。
【図１６】さらに別のプロテインスキマーの断面図である。
【図１７】本発明の実施例３の泡沫排出レベル自動昇降制御装置を設置したプロテインスキマーの断面図である。
【図１８】図１７の泡沫排出レベル自動昇降制御装置の立体斜視図である。
【図１９】図１７の泡沫排出レベル自動昇降制御装置の立体斜視図である。
【図２０】本発明の実施例４の泡沫排出レベル自動昇降制御装置を設置したプロテインスキマーの断面図である。
【図２１】図２０の制御体の立体斜視図である。
【図２２】図２０の制御体の立体斜視図である。
【図２３】本発明の実施例４の泡沫排出レベル自動昇降制御装置の立体斜視図である。
【図２４】本発明の実施例４の泡沫排出レベル自動昇降制御装置の立体斜視図である。
【図２５】本発明の実施例５の泡沫排出レベル自動昇降制御装置を設置したプロテインスキマーの断面図である。
【図２６】本発明の実施例６の泡沫排出レベル自動昇降制御装置を設置したプロテインスキマーの断面図である。
【図２７】本発明の実施例７の泡沫排出レベル自動昇降制御装置を設置したプロテインスキマーの断面図である。
【図２８】本発明の実施例８の泡沫排出レベル自動昇降制御装置を設置したプロテインスキマーの断面図である。
【符号の説明】
【００５１】
１０、１０’、１０”、１０’’’    プロテインスキマー
１１      殼体
１２      隔離室
１３      気泡発生器
１４、１４A〜１４G    泡沫排出レベル制御装置
１５      泡沫排出制御バルブ
１６、１６’    泡沫収集装置      
１７      接続管
１８      進水管
１０１    外壁
１１１    チャンバ
１１２、１１２’    上蓋
１１３    下蓋
１１４    導管
１１５    入水口
１１６、１１６’    出水口
１１７    第一位置決め突起
１１８    第二位置決め突起
１１９    湾曲アーム
１２０    強化・加速構造  
１３１    内部空間
１３２    接続部材
１４１    本体          
１４２    泡沫収集口
１４３、１４３’、１４３”     泡沫排出口
１４４、１４４’    排出部
１４５、１４５A    フロート       
１４６、１４６’、１４６”    接続座部
１４７、１４７’    仕切り板
１４８    延伸部
１４９    ショルダー部          
１５０    内壁
１５１    接続体        
１５２、１５２’、１５２”      制御体
１６０    浮力調節スイッチ
１６１    箱体
１６２    箱蓋          
１７０    底部
１８０、１８０’、１８０”、１８０A    導流棒
１９０    進水管
１４５１    開閉口
１４５３    水
１４６１    ネジ孔          
１５１１    導槽
１５１２    ベース体
１５１３    接続部
１５１４、１５１４’、１５１４”    嵌入部
１５１５    弾性アーム
１５１６    掛止部
１５２１、１５２１’    通路
１５２２、１５２２’    封閉面
１５２３    嵌合孔
１５２４、１５２４’    排出口
１５２５    内部通路
１５２６    側壁部
【図１】
2007319852.tif 000003
【図２】
2007319852.tif 000004
【図３】
2007319852.tif 000005
【図４】
2007319852.tif 000006
【図５】
2007319852.tif 000007
【図６】
2007319852.tif 000008
【図７】
2007319852.tif 000009
【図８】
2007319852.tif 000010
【図９】
2007319852.tif 000011
【図１０】
2007319852.tif 000012
【図１１】
2007319852.tif 000013
【図１２】
2007319852.tif 000014
【図１３】
2007319852.tif 000015
【図１４】
2007319852.tif 000016
【図１５】
2007319852.tif 000017
【図１６】
2007319852.tif 000018
【図１７】
2007319852.tif 000019
【図１８】
2007319852.tif 000020
【図１９】
2007319852.tif 000021
【図２０】
2007319852.tif 000022
【図２１】
2007319852.tif 000023
【図２２】
2007319852.tif 000024
【図２３】
2007319852.tif 000025
【図２４】
2007319852.tif 000026
【図２５】
2007319852.tif 000027
【図２６】
2007319852.tif 000028
【図２７】
2007319852.tif 000029
【図２８】
2007319852.tif 000030